(57)【特許請求の範囲】
【請求項１】
ケース主体に固定される基板と、該基板の後端に軸により開閉可能に枢着される操作部材を備えた薄い錠本体から構成され、該錠本体にケース蓋側に取付けた係止鈎に係離する係合板を設け、かつ側方からキーを挿込む挿込穴を形成し、該キーを錠本体の挿込穴に挿入すると、ばねに抗して挿込穴を塞いでいた該錠本体に枢支されたシャッターを押し開きキーを挿入することができ、該錠本体の操作部材内には外筒と内筒を備え、該外筒に摺動可能に内装した内筒をキーで押して移動させるものであり、該内筒にはピンでＬ字金具を取り付け、該Ｌ字金具により回動するローターを軸と一体に設け、前記キーを挿込むことにより内筒が移動し、該内筒にピンで取り付けたＬ字金具により前記ローターが９０°回転し、前記ローターは、閉錠時の場合には、キーを挿込むことにより、ローターの軸と一体のＴ形止片が基板に形成した係止鈎部に係止して操作部材を前記基板に係止させ、開錠時の場合には、キーを挿込むことにより、該Ｔ形止片が該係止鈎部から外れ、該操作部材を該基板と遊離させ、更にローターに、錠本体に形成した操作部材表面のロック表示窓孔と、オープン表示窓孔の一方に表示する彩色表示部を形成した、ことを特徴とするケース錠のロック装置。
【発明の詳細な説明】
【０００１】
【発明の属する技術分野】
本発明はトランクやアタッシュケース等に取付けるケース錠に係り、特にケース錠のロック装置に関するものである。
【０００２】
【従来の技術】
従来のケース錠として実用新案登録第１５２３７５１号（実公昭５８−１７０９２号）の考案が存在する。この従来のケース錠は施錠、開錠時に上方から鍵を鍵孔に挿込む構造のため錠本体は嵩張り、又施錠及び開錠表示が明確ではなく、取扱い上確実性に乏しい欠点があつた。
【０００３】
【発明が解決しようとする課題】
本発明の課題は、錠本体を薄型に成形することができ、しかも施錠及び開錠状態を明確に表示し使い勝手の良好なケース錠のロック装置を提供することにある。
【０００４】
【課題を解決するための手段】
本発明の手段は次のとおりである。  ケース主体に固定される基板と、該基板の後端に軸により開閉可能に枢着される操作部材を備えた薄い錠本体から構成され、該錠本体にケース蓋側に取付けた係止鈎に係離する係合板を設け、かつ側方からキーを挿込む挿込穴を形成し、該キーを錠本体の挿込穴に挿入すると、ばねに抗して挿込穴を塞いでいた該錠本体に枢支されたシャッターを押し開きキーを挿入することができ、該錠本体の操作部材内には外筒と内筒を備え、該外筒に摺動可能に内装した内筒をキーで押して移動させるものであり、該内筒にはピンでＬ字金具を取り付け、該Ｌ字金具により回動するローターを軸と一体に設け、前記キーを挿込むことにより内筒が移動し、該内筒にピンで取り付けたＬ字金具により前記ローターが９０°回転し、前記ローターは、閉錠時の場合には、キーを挿込むことにより、ローターの軸と一体のＴ形止片が基板に形成した係止鈎部に係止して操作部材を前記基板に係止させ、開錠時の場合には、キーを挿込むことにより、該Ｔ形止片が該係止鈎部から外れ、該操作部材を該基板と遊離させ、更にローターに、錠本体に形成した操作部材表面のロック表示窓孔と、オープン表示窓孔の一方に表示する彩色表示部を形成した、ことを特徴とするケース錠のロック装置。
【０００５】
【発明の実施の形態】
本発明のロック装置を施したケース錠の大体の構成は前記公知の実用新案と同様であつて、この構造を含めて本発明の新規な点を以下説明する。
図において符号１は錠本体でトランク主体に取付ける。２はトランクの蓋体に固定する係止鈎である。錠本体１は固定基板１ａの後端に軸３により開閉可能に枢支され、操作部材１ｂを備えており、前記軸３を支点に開錠時は図６に示すように開き係止鈎２は錠本体１にばね４を作用させた係合板５が移動して開錠される。
【０００６】
本発明は操作部材１ｂ内に新規なロック装置を施したものである。錠本体１の操作部材１ｂ内は外筒６と内筒７を備え、外筒６に摺動可能に内装した内筒７をキーＫで押して移動させるもので、内筒７にはピン８でＬ字金具９を取付け、このＬ字金具９により回動するローター１０は軸１１を一体に設け、ローター１０の周縁に近接して対向する位置にオープン及びロックの彩色表示部１２、１３を設け、錠本体１の操作部材１ｂ上面にオープン表示窓孔１４とロック表示窓孔１５を開設し（図１、図９参照）、キーＫによるローター１０の９０゜回転で交互に前記彩色表示部１２又は彩色表示部１３がオープン表示窓孔１４或いはロック表示窓孔１５に合致したとき、オープン及びロックの状態を表示するようになつている。
【０００７】
そしてローター１０の軸１１と一体のＴ形止片１６が基板１ａに形成した係止鈎部１７に係止しているときは錠本体１は基板１ａに固定状態になり、開錠できない（図１１、図１２参照）、又Ｔ形止片１６が係止鈎部１７を除けているときは開錠することができる（図３、図７参照）、図中１８はシャッター、１９はシャッター１８をレバー２０と共に錠本体１に枢支するレバー軸でばね２１を作用させ、ばね２１に抗してレバー２０を引上げると基板１ａの先端鈎部２２は外れ軸３を支点に操作部材１ｂは図６に示すように開錠する。 
【０００８】
又キーＫを錠本体１の挿込穴２３に挿入すると、ばね２１に抗して挿込穴２３を塞いでいたシャッター１８を軽く押し開きキーＫ円滑に挿入することができる。更に内筒７は図３に示すように複数のピンタンブラー２４、２４により外筒６に固定されており、図では省略してあるがキーＫの裏面に設けた溝と、ピンタンブラー２４が合致しない限りキーＫを挿入することができず、内筒７を移動させることはできない。尚図中２５は基板１ａの起立片でピン２６により錠本体１に取付けた制限片２７に枢着されている。
【０００９】
【作用】
キーＫを挿込穴２３に挿入すると、ローター１０は９０゜回転し、彩色表示部１２又は１３がオープン表示窓孔１４より表れるとローター１０のＴ形止片１６は基板１ａに設けた係止鈎部１７から外れ、操作部材１ｂを図６に示すように引上げることにより開錠することができ、又この状態で操作部材１ｂを閉じて施錠し、キーＫを挿入してローター１０を更に９０゜回転させて彩色表示部１２又は１３がロック表示窓孔１５より表れるとＴ形止片１６は基板１ａの係止鈎部１７に係止され閉錠状態でロックされるので開錠することはできない。
【００１０】
【発明の効果】
本発明によれば、側方からキーを差込むようにしたので錠本体を薄型に成形することができる。それにオープン及びロックの状態を表示するので施錠、開錠状態が明確となり、使い勝手が良好である。
【図面の簡単な説明】
【図１】    平面図
【図２】    正面図
【図３】    縦断正面図
【図４】    操作部材を取り外した状態の平面図
【図５】    オープン状態を示すローター部の縦断側面図
【図６】    開錠状態を示す正面図
【図７】    同上の縦断正面図
【図８】    操作部材を取外して開錠状態を示した平面図
【図９】    キーを差込んで錠本体を施錠状態でロックした平面図
【図１０】  同上の操作部材を取外した状態の平面図
【図１１】  錠本体のロック状態を示す縦断正面図
【図１２】  ロック状態を示すローター部の縦断側面図
【符号の説明】
１    錠本体
１ａ  基板
１ｂ  操作部材
２    係止鈎
３    軸
４    ばね
５    係合板
６    外筒
７    内筒
８    ピン
９    Ｌ字金具
１０  ローター
１１  軸
１２  彩色表示部
１３  彩色表示部
１４  オープン表示窓孔
１５  ロック表示窓孔
１６  Ｔ形止片
１７  係止鈎部
１８  シャッター
１９  レバー軸
２０  レバー
２１  ばね
２２  先端鈎部
２３  挿込穴
２４  ピンタンブラー
２５  起立片
２６  ピン
２７  制限片
【図１】
0004150826.tif 000002
【図２】
0004150826.tif 000003
【図３】
0004150826.tif 000004
【図４】
0004150826.tif 000005
【図５】
0004150826.tif 000006
【図６】
0004150826.tif 000007
【図７】
0004150826.tif 000008
【図８】
0004150826.tif 000009
【図９】
0004150826.tif 000010
【図１０】
0004150826.tif 000011
【図１１】
0004150826.tif 000012
【図１２】
0004150826.tif 000013